(57)【要約】【目的】防水性能の向上と材料や作業コストの低減を図り、現場作業を簡略化すると共に、効率的な防水施工を行なうことのできるブリッジを有する穴開き防水シート及びその防水工法を提供することを目的としている。【解決手段】防水シートに所定間隔で穴の中央にブリッジを形成し、二分割した穴を有する穴開き防水シートを作製し、これを防水施工面に敷設し、防水シートのブリッジを有する穴の部分に接着剤を塗布して、該穴の部分から接着剤を流し込み、防水シートのブリッジを有する穴部分周辺のみを防水施工下地面に点接合させ、しかる後ブリッジを有する穴開き防水シート面に防水材を塗布する。【選択図】  図１
2004324392.tif 000002
【特許請求の範囲】
【請求項１】
穴の中央にブリッジを形成し、二分割した穴を所定間隔に有する穴開き防水シートを用いることを特徴とする、ブリッジを有する穴開き防水シートとその防水工法。
【請求項２】
防水施工面にブリッジを有する穴開き防水シートを敷設し、防水シートのブリッジを有する穴の部分に接着剤を塗布して、該穴の部分から接着剤を流し込み、防水シートのブリッジを有する穴部分周辺のみ防水施工面に点接合し、しかる後ブリッジを有する穴開き防水シート面に防水材を塗布することを特徴とする請求項１記載のブリッジを有する穴開き防水シートとその防水工法。
【発明の詳細な説明】
【０００１】
【発明の属する利用分野】
本発明は建造物の屋根、屋上、バルコニー、床等に使用する防水シートとその防水工法に関するものである。
【０００２】
【従来の技術】
従来建造物の屋根、屋上、バルコニー、床等の下地の防水施工面に室内への雨水の浸入を防止するために防水シートが敷設されている。このような防水シートを用いる場合、防水シートを防水施工面に直接鋲やタッカー等の固定手段により下地に打ち付けて敷設固定したり、防水シートの下面に接着剤により張り合わせて敷設固定していた。
【０００３】
しかし鋲やタッカー等の固定手段を用いて防水シートを固定した場合、固定手段が外方に露出し、さらに下地にまで固定手段が達していることと相俟って鋲やタッカーの穿孔から雨水が浸入し、雨漏りを起こすことがあった。
【０００４】
又防水シートの裏面全体を接着剤によって貼着するのは施工現場における接着剤塗布作業に熟練を要し、しかも手間がかかりコストアップの要因となっていた。
【０００５】
防水シートの裏面全体を防水施工面に接着剤で貼着した場合、防水施工面で例えばコンクリート等に亀裂が生じた時防水シート、並びにその上に施工されている防水層にも亀裂が入り雨水の浸入を生ずることになる。
【０００６】
シート防水工法においては防水シートの全面接着工法の他に部分接着する点張り工法、その他防水層の末端部のみを下地に接着する浮し張り工法、絶縁工法などがあるが、いずれも現場施工に手間がかかり、更に完全な防水及び脱気を行なうことができず完全な防水工法とは言えなかったのである。
【０００７】
アスファルト防水シートに穴開きの防水シートがあるが、この目的は空気を抜くいわゆる脱気を目的とした穴である。アスファルト防水工法は厚塗りにするため空気のたまりができ易くアスファルト防水層のふくれや劣化の大きな原因となる。コンクリート等下地の亀裂はアスファルト防水層へも亀裂を生じさせることになる。従って空気を抜くための脱気の穴を必要とするのであり、本発明の目的とは全く異なるのである。本発明の場合は逆に空気が入っていてもよい防水工法である。
【０００８】
本願発明者等は、かかる事情に鑑み穴開き防水シートに関わる発明を数多く行ない特許出願をしてきた。それ等を列挙すすると、「穴開き防水シートとその防水工法」特願平８−２８５７６５．「不燃穴開き防水シート及びその防水工法」特願平９−２９６０９９．「穴開き防水シート及びその防水工法」特願平１０−３７８１７２．特願平１１−５４４９０．「織物式穴開き防水シート及びその防水工法」特願平１１−２１９０６２．「穴開き防水シート及びその防水工法」特願平２０００−３１２６４４．以上であるが、これ等の発明に於ける穴開き防水シートの穴は、すべて単独の穴であった。しかしこの穴にブリッジを形成して穴を二分割する事によって、防水シートの穴部分の点接着を容易且つ確実に行ない、効率の高い防水施工を行なうことができる事を見出したのである。
【０００９】
【発明が解決しようとする課題】
本発明はかかる事情に鑑みなされたもので、防水性能の向上と材料や作業コストの低減を図り、現場作業を簡略化すると共に、効率的な防水施工を行なうことのできるブリッジを有する穴開き防水シート及びその防水工法を提供することを目的としている。
【００１０】
【課題を解決するための手段】
その目的を達成するため防水シートに所定間隔で穴の中央にブリッジを形成し、二分割した穴を有する穴開き防水シートを作製し、これを防水施工面に敷設し、防水シートのブリッジを有する穴の部分に接着剤を塗布して、該穴の部分から接着剤を流し込み、防水シートのブリッジを有する穴部分周辺のみを防水施工下地面に点接合させ、しかる後ブリッジを有する穴開き防水シート面に防水材を塗布する防水工法である。
【００１１】
【発明の実施の形態】
本発明によるブリッジを有する穴開き防水シート及びその防水工法によると、防水施工面に亀裂が入っても防水シートはその亀裂部分周辺の点接合箇所が剥離するのみで防水シート自身には損傷を生じない。ブリッジを有する穴開き防水シートを防水施工面に敷設して、ブリッジを有する穴開き防水シートの穴部分に接着剤を塗布し、穴部分周辺を防水施工面の下地に接着させる点接合をするからである。防水シートにブリッジを入れて穴を二分割すると、接着剤による接合は、穴の上は小さく穴の下は大きくなり、ブリッジ部分も接合され防水シートの穴部分を完全に防水施工面の下地に点接合することができる。このブリッジを有する穴開き防水シートの上面を塗膜防水材で防水施工することによって容易且つ確実に防水施工を行なうことができるのである。
【００１２】
ブリッジを有する穴開き防水シートの防水シートは、ゴム入アスファルト、塩化ビニール、ポリエチレン・酢酸ビニル共重合体、合成ゴム、ネオプレン、ポリイソブチレン、アクリル等、あるいはこれらを複合したもの、合成繊維シートや不繊布等を積層したもの、無機繊維による不燃シートなど各種の防水シートを使用することができる。特に塩化ビニールやポリエチレン等と不繊布等を積層した防水シートが好適に使用される。ブリッジを有する穴開き防水シートは高い耐水分透過性を有し、施工場所の形状に容易に追従できる柔軟性、防水シートを接合する場合の接合性などを有しているものである。
【００１３】
防水シート面に開ける穴の大きさは１〜２０ｍｍの範囲が好適で、この穴の部分に幅０．３〜８．０ｍｍのブリッジを形成せしめて、防水シート面の穴を二分割する。ブリッジを含めた防水シート面に開ける穴の大きさが１ｍｍ以下では、接着剤が充分流れ込まず防水施工面との接着接合が不充分で容易に剥離してしまい、２０ｍｍ以上の大きな穴では穴周辺の接着力が大きくなり防水シートの部分伸張力が強くなり均一に防水シートを貼着することができなくなる。
【００１４】
防水シート面に開ける穴の間隔は、穴の大きさ、防水シートの材質によって決定しなければならないが、２０〜３００ｍｍの範囲が好適である。２０ｍｍ以下では間隔がせますぎて施工にも手間がかかり、３００ｍｍ以上では間隔が大きすぎて点接合の効果が減少する。
【００１５】
ブリッジを有する穴開き防水シートを防水施工面に敷設して、穴の部分に塗布する接着剤は、ブリッジを有する穴開き防水シートの材質等により決定されるが、エマルジョン型酢酸ビニル樹脂系、エマルジョン型ビニル共重合体系、ラテックス型ゴム系、ラテックス型エポキシ変性ゴム系、エポキシ樹脂系、ウレタン系等が使用できる。
【００１６】
ブリッジを有する穴開き防水シートの上面に防水施工する塗膜防水材は、アクリル系、ウレタン系、エチレン酢酸ビニル共重合体系、クロロプレン系などが使用される。
【００１７】
【実施例】
以下本発明の実施例を説明する。
【００１８】
実施例  合成樹脂製の不繊布シートの上面にポリエチレンフィルムを下面にポリエチレン製テープを織ったものをそれぞれ張り合わせて強化した防水シート（商品名「タイベック」旭・デュポン・フラッシュパン・プロダクツ社製）の面に縦横各１５０ｍｍ間隔に８ｍｍの穴を開けて幅２ｍｍのブリッジを有する穴開き防水シートを作製した。
【００１９】
下地コンクリート仕上面にブリッジを有する穴開き防水シートを敷設して、穴の部分にエポキシ樹脂系接着剤（商品名「タイルメントＥＰ−９００」タイルメント社製）を塗布してブリッジを有する穴開き防水シートの穴周辺部分を下地コンクリート仕上面に接着接合した。
【００２０】
ブリッジを有する穴開き防水シートの上面をエマルジョン型アクリル系塗膜防水材（商品名「リボールマイティ」株式会社リボール社製）を塗布し防水施工を行なった。しかる後下地コンクリート仕上面全面に人工的な幅１ｍｍの亀裂を生じさせたが、亀裂周辺のブリッジを有する穴開き防水シート穴接合部分３ヶ所が剥離したのみで防水シートには全く損傷は見られず防水層にも異常は生じなかった。
【００２１】
【発明の効果】
以上の如く本発明にかかるブリッジを有する穴開き防水シートとその防水工法によると現場作業を大幅に簡略化することができ、材料や施工効率を高め作業コストの低減を図り、且つ防水性能、防水施工下地面との追従性能を大幅に向上させることができたのである。
【図面の簡単な説明】
【図１】ブリッジを有する穴開き防水シート
【図２】ブリッジを有する穴の拡大図
【図３】ブリッジを有する穴開き防水シート防水施工断面図
【符号の説明】
１．ブリッジを有する穴開き防水シート
２．ブリッジを有する穴
３．穴
４．ブリッジ
５．接着剤
６．塗膜防水材
７．防水施工下地
【図１】
2004324392.tif 000003
【図２】
2004324392.tif 000004
【図３】
2004324392.tif 000005